(57)【要約】  本発明は、枠（４）、可動部（３ａ）および電動化された駆動装置（５）を含む、建築物用のスライド窓に関する。装置（５）は、電気機械的なアクチュエータ（６）、可撓性要素（９）および可撓性要素（９）を巻き取るためのプーリ（１９）を含んでいる。プーリ（１９）は、アクチュエータ（６）の出力軸（８）によって回転される。可撓性要素（９）の第１のストランド（９ａ）の１つの末端は、プーリ（１９）の第１の部分に連結されている。可撓性要素（９）の第２のストランド（９ｂ）の１つの末端は、プーリ（１９）の第２の部分に連結されている。プーリ（１９）および出力軸（８）は、回転の同じ軸を有している。また、装置（５）は、プーリ（１９）の第１の部分に対して第１のストランド（９ａ）を案内するように、第１のストランド（９ａ）とかみ合う第１の角度伝達機構（２０）、ならびにプーリ（１９）の第２の部分に対して第２のストランドを案内するように、第２のスとランドとかみ合う第２の角度伝達機構（２１）を含んでいる。
2019526728.tif 000002
【特許請求の範囲】
【請求項１】
建築物用のスライド窓（２）であって、
−  枠（４）、
−  少なくとも１つの可動部（３ａ、３ｂ）、
−  該可動部（３ａ）を、該枠（４）に対してスライドさせることによって、動かすための電動化された駆動装置（５）、
該電動化された駆動装置（５）は、
・電気機械的なアクチュエータ（６）、該電気機械的なアクチュエータ（６）は、電動モータ（７）および出力軸（８）を含み、該出力軸（８）の回転軸（Ｘ）は、該枠（４）に対する該可動部（３ａ）のスライド方向（Ｄ）に平行である、
・可撓性要素（９）、該可撓性要素（９）は、該電気機械的なアクチュエータ（６）によって動かされ、該可撓性要素（９）は、第１のストランド（９ａ）および第２のストランド（９ｂ）を含んでいる、
・可動台部（１８）、該可動台部（１８）は、一方で、該第１の可動部（３ａ）に取り付けられており、そして他方で、該可撓性要素（９）に連結されている、
・該可撓性要素（９）の巻き取りプーリ（１９）、該巻き取りプーリ（１９）は、該電気機械的なアクチュエータ（６）の出力軸（８）によって回転され、該可撓性要素（９）の該第１のストランド（９ａ）の１つの末端は、該巻き取りプーリ（１９）の第１の部分（１９ａ）に連結されており、該可撓性要素（９）の該第２のストランド（９ｂ）の１つの末端は、該巻き取りプーリ（１９）の第２の部分（１９ｂ）に連結されている、
を含んでいる、
を含んでなり、
該電気機械的なアクチュエータ（６）の該巻き取りプーリ（１９）および該出力軸（８）は、同じ回転軸（Ｘ）を有し、そして、
該電動化された駆動装置（５）は、
−  該可撓性要素（９）の該第１のストランド（９ａ）と、該可撓性要素（９）の該第１のストランド（９ａ）を、該巻き取りプーリ（１９）の該第１の部分（１９ａ）に対して案内するように協働する、第１の角度伝達機構（２０）、および、
−  該可撓性要素（９）の該第２のストランド（９ｂ）と、該可撓性要素（９）の該第２のストランド（９ｂ）を、該巻き取りプーリ（１９）の該第２の部分（１９ｂ）に対して案内するように協働する、第２の角度伝達機構（２１）、
を更に含む、建築物用のスライド窓（２）。
【請求項２】
前記巻き取りプーリ（１９）の前記第１の部分（１９ａ）の周りの、前記可撓性要素（９）の前記第１のストランド（９ａ）の巻き取り、巻き戻しのそれぞれの方向が、前記巻き取りプーリ（１９）の前記第２の部分（１９ｂ）の周りの、前記可撓性要素（９）の前記第２のストランド（９ｂ）の、巻き取り、巻き戻しのそれぞれの方向と反対である、請求項１記載の建築物用のスライド窓（２）。
【請求項３】
前記第１および第２の角度伝達機構（２０、２１）のそれぞれが、前記可撓性要素（９）の前記第１および第２のストランド（９ａ、９ｂ）の１つの、角度伝達プーリ（２２）を含む、請求項１または２記載の建築物用のスライド窓（２）。
【請求項４】
−  前記第１および第２の角度伝達機構（２０、２１）のそれぞれがまた、前記可撓性要素（９）の前記第１および第２のストランド（９ａ、９ｂ）の１つの、案内要素（２３）含み、そして、
−  前記案内要素（２３）ならびに前記第１および第２の角度伝達機構（２０、２１）のそれぞれの、前記角度伝達プーリ（２２）が、前記可撓性要素（９）の前記第１および第２のストランド（９ａ、９ｂ）の１つを案内するように、互いに協働するように構成される、請求項３記載の建築物用のスライド窓（２）。
【請求項５】
−  前記枠（４）が、上部横材（４ａ）、下部横材および２つの側面の直立材（４ｃ）を含み、そして、
−  前記電気機械的なアクチュエータ（６）が、前記枠（４）の前記上部横材（４ａ）に、留め具（２８）を用いて取り付けられている、
請求項１〜４のいずれか１項記載の建築物用のスライド窓（２）。
【請求項６】
前記電動化された駆動装置（５）の前記可撓性要素（９）が、前記枠（４）の前記上部横材（４ａ）に沿って、前記巻き取りプーリ（１９）の前記第１の部分（１９ａ）から前記巻き取りプーリ（１９）の前記第２の部分（１９ｂ）まで延在している、請求項５記載の建築物用のスライド窓（２）。
【請求項７】
前記可撓性要素（９）が、一方で、前記上部横材（４ａ）の上面の１つの側から、そして他方は、前記上部横材（４ａ）の下面の１つの側から、前記枠（４）の前記上部横材（４ａ）の長さ（Ｌ）の少なくとも一部に沿って、延在している、請求項５または６記載の建築物用のスライド窓（２）。
【請求項８】
前記枠（４）の前記上部横材（４ａ）が、前記上部横材（４ａ）の長さ（Ｌ）に沿って延在する、前記可撓性要素（９）の少なくとも１つの案内要素（３６）を含む、請求項５〜７のいずれか１項記載の建築物用のスライド窓（２）。
【請求項９】
前記電気機械的なアクチュエータ（６）および前記巻き取りプーリ（１９）が、前記枠（４）上に、第１の支持体（２８）および第２の支持体（２８）を用いて組み立てられており、そして前記回転軸（Ｘ）に沿って摺動連結を形成する機構（３２）が、一方で、前記第１および第２の支持体（２８）の一方に、そして、他方で前記巻き取りプーリ（１９）もしくは前記電気機械的なアクチュエータ（６）の１つの末端（６ａ、６ｂ）の間に配置されている、請求項１〜８のいずれか１項記載の建築物用のスライド窓（２）。
【請求項１０】
前記可撓性要素（９）の前記第１および第２のストランド（９ａ、９ｂ）が、前記枠（４）に関して、前記第１の可動部（３ａ）の施錠および開錠機構（５１）に連結されている、請求項１〜９のいずれか１項記載の建築物用のスライド窓（２）。
【請求項１１】
前記可撓性要素（９）の前記第１のストランド（９ａ）が、前記巻き取りプーリ（１９）の前記第１の部分（１９ａ）に連結された第１の末端、ならびに前記施錠および開錠機構（５１）に連結された第２の末端を含み、そして前記可撓性要素（９）の前記第２のストランド（９ｂ）が、前記巻き取りプーリ（１９）の前記第２の部分（１９ｂ）ならびに前記施錠および開錠機構（５１）に連結された第２の末端を含む、請求項１０記載の建築物用のスライド窓（２）。
【請求項１２】
前記可撓性要素（９）の前記第１および第２のストランド（９ａ、９ｂ）が、第１および第２の角度伝達機構（２０、２１）から、反対の方向に延在している、請求項１〜１１のいずれか１項記載の建築物用のスライド窓（２）。
【請求項１３】
前記可撓性要素（９）の前記第１および第２のストランド（９ａ、９ｂ）が、第１および第２の角度伝達機構（２０、２１）と同じ方向に延在している、請求項１〜１１のいずれか１項記載の建築物用のスライド窓（２）。
【請求項１４】
前記第１の可動部（３ａ）の動く方向と平行に測定された、少なくとも前記電気機械的なアクチュエータ（６）と前記巻き取りプーリ（１９）とで形成された組立体の長さ（Ｖ）が、同じ方向に平行に測定された前記第１の可動部（３ａ）の幅（Ｗ）よりも小さい、請求項１３記載の建築物用のスライド窓（２）。
【請求項１５】
ホームオートメーション設備であって、請求項１〜１４のいずれか１項記載のスライド窓（２）を含む、設備。
【発明の詳細な説明】
【技術分野】
【０００１】
本発明は、スライド動作において、枠に対して可動部（leaf）を動かすための電動化された駆動装置を含む、建築物用のスライド窓に関する。
【０００２】
また、本発明は、そのようなスライド窓を含むホームオートメーション設備に関する。
【背景技術】
【０００３】
包括的には、本発明は、スライド動作において、枠に対して可動部を、少なくとも１つの第１の位置および少なくとも１つの第２の位置の間で動作させる、電動化された駆動装置を含む窓の分野に関する。
【０００４】
そのような窓の電動化された駆動装置は、電気機械的なアクチュエータを含んでいる。
【０００５】
特許文献CN 203 160 952 Uが知られており、それには、枠、可動部（leaf）および可動部を枠に対してスライドさせることによって動かすための電動化された駆動装置を含む建築物用のスライド窓が記載されている。電動化された駆動装置は、ケーブル型の可撓性要素、可動台部（carriage）および可撓性要素を巻き取るためのプーリ、ならびに電気機械的なアクチュエータを含んでおり、このアクチュエータは、電動モータおよび出力軸を含んでいる。出力軸の回転軸は、枠に対する可動部のスライド方向に平行である。可撓性要素は、角度伝達プーリの周りを回転し、そしてその動きは、電気機械的なアクチュエータによって駆動される。可撓性要素は、第１のストランドおよび第２のストランドを含んでいる。可動台部は、一方で、可動部に取り付けられており、他方で、可撓性要素に連結されている。巻き取りプーリは、電気機械的なアクチュエータの出力軸によって回転される。可撓性要素の第１のストランドの一方の末端は、巻き取りプーリの第１の部分に連結されている。可撓性要素の第２のストランドの一方の末端は、このプーリの第２の部分に連結されている。
【０００６】
また、電動化された駆動装置は、一方が、電気機械的なアクチュエータの出力軸に、そして他方が、巻き取りプーリに連結された、円錐ギア減速機構を含んでいる。
【０００７】
しかしながら、スライド窓の電動化された駆動装置のそのような配置は、電気機械的なアクチュエータの一方の側の巻き取りプーリが、電気機械的なアクチュエータの長手方向の軸に対して、外れるという欠点を有している。
【０００８】
その結果、この電動化された駆動装置は、特には枠の厚みに沿って、相当な大きさを有しており、そして製造するのが複雑である。
【０００９】
更には、スライド窓は、電動化された駆動装置に属する円錐ギア減速機構のために、得るために費用が掛かる。
【００１０】
更には、電気機械的なアクチュエータの出力軸と巻き取りプーリとの間の機械的連結のそのような配置は、機械的な脆弱性の欠点を有しており、それが電動化された駆動装置の信頼性を低下させる可能性がある。
【発明の概要】
【発明が解決しようとする課題】
【００１１】
本発明は、前記の欠点を解決すること、およびスライド動作において枠に対して可動部を動かすための電動化された駆動装置を含む建築物用のスライド窓、ならびにそのようなスライド窓を含むホームオートメーションを提案すること、電動化された駆動装置の大きさを最小化し、電動化された駆動装置の工業化および構築を単純化し、そして窓の操作の信頼性を向上させ、一方で窓を得る費用を最小化することを可能にさせることを目的としている。
【課題を解決するための手段】
【００１２】
この目的のために、第１の態様によれば、本発明は、
−  枠、
−  少なくとも１つの可動部、
−  枠に対してスライドさせることによって可動部を動かすための電動化された駆動装置、この電動化された駆動装置は、
・電気機械的なアクチュエータ、この電気機械的なアクチュエータは、電動モータおよび出力軸を含んでおり、出力軸の回転軸は、枠に対する可動部のスライド方向に平行である、
・可撓性要素、この可撓性要素は、電気機械的なアクチュエータによって動かされ、可撓性要素は、第１のストランドおよび第２のストランドを含んでいる、
・可動台部、この可動台部は、一方は第１の可動部に取り付けられており、そして他方は、可撓性要素に連結されている、
・可撓性要素の巻き取りプーリ、この巻き取りプーリは、電気機械的なアクチュエータの出力軸によって回転されており、可撓性要素の第１のストランドの一方の末端は、巻き取りプーリの第１の部分に連結されており、可撓性要素の第２のストランドの一方の末端は、巻き取りプーリの第２の部分に連結されている、
を含んでいる、
を含む建築物用のスライド窓に関する。
【００１３】
本発明によれば、巻き取りプーリおよび電気機械的なアクチュエータの出力軸は、同じ回転軸を有している。電動化された駆動装置は、巻き取りプーリの第１の部分に対して可撓性要素の第１のストランドを導くように、可撓性要素の第１のストランドと協働する第１の角度伝達機構、ならびに巻き取りプーリの第２の部分に対して可撓性要素の第２のストランドを導くように、可撓性要素の第２のストランドと協働する第２の角度伝達機構を更に含んでいる。
【００１４】
従って、巻き取りプーリは、電気機械的なアクチュエータの出力軸の延長に配置され、そして電気機械的なアクチュエータの出力軸と同じ回転軸の周りに回転される。
【００１５】
更には、可撓性要素の第１および第２のストランドは、第１および第２の角度伝達機構を用いて、巻き取りプーリの第１および第２の部分に対してそれぞれ導かれる。
【００１６】
このようにして、電動化された駆動装置は、コンパクトに作られ、一方で窓の信頼できる操作を保証する。
【００１７】
更に、可撓性要素は、巻き取りプーリの第１の部分に連結された第１のストランドの末端と、巻き取りプーリの第２の部分に連結された第２のストランドの末端との間で、いわゆるオープンループを形成する。
【００１８】
このようにして、可撓性要素の第１および第２のストランドは、巻き取りプーリに連結され、そしてそれらの第１および第２の部分で分離される。
【００１９】
本発明の好ましい特徴によれば、巻き取りプーリの第１の周りの可撓性要素の第１のストランドの巻き取りと、巻き戻しそれぞれの方向は、巻き取りプーリの第２の部分の周りの可撓性要素の第２のストランドの巻き取りと、巻き戻しのそれぞれの反対の方向である。
【００２０】
本発明の有利な特徴によれば、第１および第２の角度伝達機構のそれぞれは、可撓性要素の第１および第２のストランドの一方の角度伝達プーリを含んでいる。
【００２１】
本発明の他の有利な特徴によれば、第１および第２の角度伝達機構のそれぞれはまた、可撓性要素の第１および第２のストランドの一方の案内要素を含んでいる。更には、第１および第２の角度伝達機構のそれぞれの案内要素ならびに角度伝達プーリは、可撓性要素の第１および第２のストランドを案内するように、互いに協働するように構成されている。
【００２２】
本発明の他の好ましい特徴によれば、枠は、上部横材、下部横材および２つの側面の直立材を含んでいる。更に、電気機械的なアクチュエータは、枠の上部横材に、留め具を用いて取り付けられている。
【００２３】
本発明の他の有利な特徴によれば、電動化された駆動装置の可撓性要素は、枠の上部横材に沿って、巻き取りプーリの第１の部分から巻き取りプーリの第２の部分まで延在している。
【００２４】
本発明の他の有利な特徴によれば、可撓性要素は、一方は、上部横材の上面の一方から、そして他方は、上部横材の下面の一方から、枠の上部横材の長さの少なくとも一部に沿って、延在している。
【００２５】
本発明の他の有利な特徴によれば、枠の上部横材は、上部横材の長さに沿って延在する、可撓性要素の少なくとも１つの案内要素を含んでいる。
【００２６】
本発明の他の有利な特徴によれば、電気機械的なアクチュエータおよび巻き取りプーリは、枠上に、第１の支持体および第２の支持体を用いて組み立てられている。更には、回転軸に沿って摺動連結を形成する機構は、一方は、第１および第２の支持体の一方と、そして他方は、巻き取りプーリもしくは電気機械的なアクチュエータの一方の末端の間に配置される。
【００２７】
本発明の他の有利な特徴によれば、可撓性要素の第１および第２のストランドは、枠に対する第１の可動部の施錠および開錠機構に連結される。
【００２８】
本発明の他の有利な特徴によれば、可撓性要素の第１のストランドは、巻き取りプーリの第１の部分に連結された第１の末端ならびに、施錠および開錠機構に連結された第２の末端を含んでいる。更には、可撓性要素の第２のストランドは、巻き取りプーリの第２の部分に連結された第１の末端ならびに、施錠および開錠機構に連結された第２の末端を含んでいる。
【００２９】
本発明の第１の態様によれば、可撓性要素の第１および第２のストランドは、第１および第２の角度伝達機構から、反対の方向に延在している。
【００３０】
本発明の第２の態様によれば、可撓性要素の第１および第２のストランドは、第１および第２の角度伝達機構から、同じ方向に延在している。
【００３１】
本発明の他の有利な特徴によれば、少なくとも電気機械的なアクチュエータと巻き取りプーリとによって形成された組立体の、可動部の動く方向に平行に測定された長さは、同じ方向に平行に測定された可動部の幅よりも小さい。
【００３２】
第２の態様によれば、本発明は、本発明によるスライド窓を含むホームオートメーション設備に関する。
【００３３】
このホームオートメーション設備は、本発明によるスライド窓に関する上述の特徴および利点と同様の特徴および利点を有している。
【００３４】
本発明の他の特徴および利点もまた、以下の説明で明らかとなるであろう。
【図面の簡単な説明】
【００３５】
添付の図面は、限定するものではない例として与えられている。
【図１】図１は、本発明の第１の態様によるスライド窓の部分的な概略の透視図であり、第１の可動部が、枠に対して開放の位置にあり、そして電動化された駆動装置を収容する箱のためのアクセス用蓋は、開放の位置にある。
【図２】図２は、図１と同様の図であり、可動部は、枠に対して閉鎖の位置にある。
【図３】図３は、図１および２に示された窓の電動化された駆動装置の概略の透視図であり、電動化された駆動装置は、窓の枠の上部横材上に組み立てられている。
【図４】図４は、図３に示された窓の電動化された駆動装置の概略の部分的な垂直方向の断面図である。
【図５】図５は、図４の細部Ａの拡大図である。
【図６】図６は、図４の細部Ａの対応する区画の、図４および５の断面に平行な断面における、概略の断面図である。
【図７】図７は、図４の細部Ｂの拡大された概略の断面図である。
【図８】図８は、図４の細部Ａに対応する電動化された駆動装置の一部の拡大された概略の上面図である。
【図９】図９は、図４の細部Ｂに対応する電動化された駆動装置の一部の拡大された概略の上面図である。
【図１０】図１０は、図４の細部Ｃの拡大された概略の断面図である。
【図１１】図１１は、第２の態様によるスライド窓の部分概略透視図であり、第１の可動部は、枠に対して部分的に開放された位置にあり、そして箱は省略されている。
【図１２】図１２は、図１１の細部Ｄの拡大図である。
【図１３】図１３は、図１１の細部Ｅの拡大図である。
【発明を実施するための形態】
【００３６】
図１〜４を参照して最初に説明するのは、本発明によるホームオートメーション設備であり、そして開放部１を含めて建築物に設置してあり、本発明の第１の態様によるスライド窓２が配置されている。
【００３７】
また、ライド窓２は、スライド式の張出し窓と称することもできる。
【００３８】
本発明は、スライド窓およびスライド式パティオドアに適用され、それらは透明のグレージングが装備されていてもよく、または装備されていなくてもよい。
【００３９】
窓２は、少なくとも１つの可動部３ａ、３ｂおよび枠４を含んでいる。
【００４０】
ここで、そして図１および２に示されているように、窓２は、第１の可動部３ａおよび第２の可動部３ｂを含んでいる。
【００４１】
また、窓２は、枠４に対してスライドさせることによって可動部３ａを動かすための電動化された駆動装置５を含んでいる。
【００４２】
ここで、電動化された駆動装置５は、枠４に対してスライドさせることによって、第１および第２の可動部３ａ、３ｂの内の唯１つだけ、特には第１の可動部３ａ、を動かすように構成されている。
【００４３】
ここで、そして図１および２に示されているように、第２の可動部３ｂは、特には、第２の可動部３ｂの取手４０に力を加える使用者によって、手動で動かすことができる。
【００４４】
あるいは、第２の可動部３ｂは、固定されている。
【００４５】
窓の可動部の数は制限されず、そして異なっていることができ、特には３に等しい。
【００４６】
それぞれの可動部３ａ、３ｂは、枠１５を含んでいる。また、それぞれの可動部３ａ、３ｂは、枠１５中に配置された少なくとも１枚のガラス板１６を含んでいる。
【００４７】
可動部のガラス板の数は制限されておらず、そして異なっていることができ、特には２枚以上である。
【００４８】
また、窓２は、枠４とそれぞれの可動部３ａ、３ｂとの間に配置されたブラケットシステムを含んでいる。
【００４９】
窓のこのブラケットシステムは、当業者にはよく知られており、そしてここでより詳細に説明する必要はない。窓２のこのブラケットシステムは、図１および２には、これらの図の読み取りを促進するように、示されてはいない。
【００５０】
図１および２に示されているように、建築物に関して、窓２の組み立てられた配置において、枠４は、上部横材４ａ、下部横材（示されてはいない）、および２つの側面の直立材４ｃを含んでいる。
【００５１】
枠３の上部横材４ａ、下部横材および２つの側面の直立材４ｃは、それぞれが、内面および少なくとも１つの外面を有している。
【００５２】
枠４の上部横材４ａ、下部横材および２つの側面の直立材４ｃの内面は、窓２の内側の方向に向いており、そして特には、それぞれの可動部３ａ、３ｂの枠１５の外側縁に向いている。
【００５３】
枠４の上部横材４ａ、下部横材および２つの側面の直立材４ｃの外面は、窓２の外側の方向に向いている。
【００５４】
図１および２に示されているように、建築物に関して、窓２の組み立てられた配置において、スライド窓２のブラケットシステムは、それぞれの可動部３ａ、３ｂが枠４に対して、スライド方向Ｄに沿って、例えば水平に、スライドすることを可能にさせる。
【００５５】
枠４の上部横材４ａは、可動部３ａのスライド用レール１１ａおよび可動部３ｂのスライド用レール１１ｂを含んでいる。また、枠４の下部横材は、それぞれ可動部３ａおよび可動部３ｂのための２つのスライド用レールを含んでいる。
【００５６】
従って、枠４の上部横材４ａおよび下部横材のそれぞれは、第１の可動部３ａの第１のスライド用レール１１ａもしくは等価物および第２の可動部３ｂの第２のスライド用レール１１ｂもしくは等価物を含んでいる。
【００５７】
このようにして、第１および第２の可動部３ａ、３ｂは、それぞれ第１および第２のスライド用１１ａ、１１ｂなどに沿って、動くように配置されている。
【００５８】
実際には、第１および第２のスライド用レール１１ａ、１１ｂは、互いに平行に配置されている。更に、第１および第２のスライド用レール１１ａ、１１ｂは、枠４の厚みＥに沿って、互いに対してずれている。
【００５９】
窓２は、それぞれの可動部３ａ、３ｂの、枠４に対する動きを可能にさせるスライド用要素（示されてはいない）を含んでいる。このスライド用要素は、下部横材の第１および第２のスライド用レールの内側に配置されている。
【００６０】
実際には、スライド用要素は、第１および第２の可動部３ａ、３ｂの下に配置された脚車を含んでいる。この脚車は、下部横材の第１および第２のスライド用レールの内側を回転して行くように配置されている。
【００６１】
枠４に対するそれぞれの可動部３ａ、３ｂの部分的または最大限のスライドによる開放の位置は、建築物の通気位置に相当する。
【００６２】
電動化された駆動装置５は、スライドさせることによって、枠４に対して、第１の可動部３ａを、特には、枠４に対する第１の可動部３ａのスライドによって最大の開放位置と、枠４に対する第１の可動部３ａの閉鎖の位置との間で、自動的に動かすことを可能にする。
【００６３】
電動化された駆動装置５は、図３で、そして以下でより具体的に明らかとなる。後者は、円筒形型の、電気機械的なアクチュエータ６を含んでいる。電気機械的なアクチュエータ６は、電動モータ７および出力軸８を含んでいる。出力軸８の回転軸Ｘは、枠４に対する第１の可動部３ａの、そしてこの場合には枠４に対して第２の可動部３ｂの、スライド方向Ｄに平行である。
【００６４】
電気機械的なアクチュエータ６は、窓２に対して、特には枠４に対して、静止した部品上に配置されている。
【００６５】
また、電気機械的なアクチュエータ６は、ギア減速装置（示されてはいない）を含むことができる。
【００６６】
また、電気機械的なアクチュエータ６は、移動端および／または障害物検知装置（示されていない）を含むことができる。この検知装置は、機械的であるか、または電子的であることができる。
【００６７】
有利には、電動モータ７、および、随意選択的にギア減速装置は、電気機械的なアクチュエータ６の筐体１７の内側に配置されている。
【００６８】
ここで、電気機械的なアクチュエータ６は、円筒形型のものである。
【００６９】
また、電動化された駆動装置５は、可撓性要素９を含んでいる。可撓性要素９は、電気機械的なアクチュエータ６によって動かされる。可撓性要素９は、第１のストランド９ａおよび第２のストランド９ｂを含んでいる。
【００７０】
可撓性要素９は、円形の断面を有することができる。
【００７１】
可撓性要素の断面は、限定されるものではなく、そして異なっていることができ、特には正方形、矩形または楕円形であることができる。
【００７２】
実際には、可撓性要素９は、ケーブルまたはひもである。
【００７３】
それは、合成材料、例えば、非常に高い分子量を有する、ナイロンまたはポリエチレンで作られていることができる。
【００７４】
従って、合成材料から作られた可撓性要素９の使用によって、電動化された駆動装置５のプーリの直径を最小化することが可能となる。
【００７５】
可撓性要素の材料は限定されるものではなく、そして異なっていることができる。特には、それは鋼であることができる。
【００７６】
電動化された駆動装置５は、図４に示されているように、可動台部１８を含んでいる。可動台部１８は、一方は、第１の可動部３ａに取り付けられ、そして他方は、可撓性要素９に連結されている。
【００７７】
有利には、可動台車１８は、少なくとも部分的には、枠４の上部横材４ａのスライド用レール１１ａに沿って配置されている。
【００７８】
実際には、可動台部１８は、留め具、特には、ネジ（示されてはいない）を用いて第１の可動部３ａに取り付けられている。
【００７９】
電動化された駆動装置５は、可撓性要素９の巻き取りプーリ１９を含んでいる。巻き取りプーリ１９は、電気機械的なアクチュエータ６の出力軸８によって回転されている。可撓性要素９の第１のストランド９ａの一方の末端は、巻き取りプーリ１９の第１の部分１９ａに連結されている。可撓性要素９の第２のストランド９ｂの一方の末端は、図６および８に示されているように、巻き取りプーリ１９の第２の部分１９ｂに連結されている。
【００８０】
有利には、可撓性要素９の第１および第２のストランド９ａ、９ｂのそれぞれの末端は、図６に示されているように、それぞれ巻き取りプーリ１９の第１の部分１９ａまたは第２の部分１９ｂに、留め具５０を用いて取り付けられている。
【００８１】
従って、可撓性要素９の第１および第２のストランド９ａ、９ｂのそれぞれの末端は、それぞれ巻き取りプーリ１９の第１の部分１９ａに、または第２の部分１９ｂに、直接に固定されている。
【００８２】
実際には、可撓性要素９の第１および第２のストランド９ａ、９ｂのそれぞれの末端の留め具５０は、ケーブル留め要素である。
【００８３】
ここで、そして図６に示されているように、それらの留め具５０は、ネジ、特にはセルフタッピング型のものであり、可撓性要素９の第１および第２のストランド９ａ、９ｂを、ネジ５０の頭と、巻き取りプーリ１９の可撓性要素９の巻き取り表面との間に挟むことによって、取り付けるように、巻き取りプーリ１９中にねじ込まれる。
【００８４】
巻き取りプーリ１９の第１の部分１９ａの周りの可撓性要素９の第１のストランド９ａの巻き取り、巻き戻しのそれぞれの方向は、巻き取りプーリ１９の第２の部品１９ｂの周りの可撓性要素９の第２のストランド９ｂの巻き取り、巻き戻しのそれぞれの方向の反対である。
【００８５】
従って、第１のスライド方向における枠４に対する第１の可動部３ａの動きの間に、特には、枠４に対する第１の可動部３ａの閉鎖位置から開放位置への動きの間に、可撓性要素９の第１のストランド９ａは、巻き取りプーリ１９の第１の部分１９ａの周りに巻き付き、一方で、可撓性要素９の第２のストランド９ｂは、巻き取りプーリ１９の第２の部分１９ｂの周りで巻き戻る。
【００８６】
更に、第２のスライド方向における枠４に対する第１の可動部３ａの動きの間に、特に開放位置から閉鎖位置に向かう、枠４に対する第１の可動部３ａの動きの間に、可撓性要素９の第１のストランド９ａは、巻き取りプーリ１９の第１の部分１９ａの周りで巻き戻り、一方で、可撓性要素９の第２のストランド９ｂは、巻き取りプーリ１９の第２の部分１９ｂの周りに巻き付く。
【００８７】
枠４に対する第１の可動部３ａの第２のスライド方向は、第１のスライド方向と反対である。
【００８８】
このようにして、可撓性要素９の第１のスライド９ａの巻き取りプーリ１９の第１の部分１９ａの周りの回転の駆動方向は、可撓性要素９の第２のストランド９ｂの巻き取りプーリ１９の第２の部分１９ｂの周りの回転の駆動方向と反対である。
【００８９】
有利には、枠４に対する第１の可動部３ａのスライド方向は、電気機械的なアクチュエータ６の出力軸８の回転方向を基にして定められる。更に、巻き取りプーリ１９の回転の駆動方向は、電気機械的なアクチュエータ６の出力軸８の回転方向によって定められる。
【００９０】
従って、可撓性要素９の第１のストランド９ａおよび第２のストランド９ｂの巻き取りプーリ１９の第１および第２の部分１９ａ、１９ｂの周りの回転の駆動方向は、電気機械的なアクチュエータ６の出力軸８の回転方向に依存する。
【００９１】
ここで、巻き取りプーリ１９の回転の駆動方向は、電気機械的なアクチュエータ６の出力軸８の回転方向と同じである。
【００９２】
実際には、可撓性要素９の第１および第２のストランド９ａ、９ｂの一方は、枠４に対して第１の可動部３ａをスライドさせることによる移動方向の作用として、そしてより具体的には、巻き取りプーリ１９の回転の駆動方向の作用として、緩められる。
【００９３】
従って、可撓性要素９の第１および第２のストランド９ａ、９ｂの巻き取りおよび巻き戻しのそのような配置は、可撓性要素９の長さを設定することを容易にすることを可能にする。
【００９４】
１つの例示的な態様では、図６および８に示されているように、巻き取りプーリ１９の第１および第２のストランド９ａ、９ｂは、単一の部品によって形成されている。
【００９５】
そのような場合には、そして図８に示されているように、巻き取りプーリ１９は、その第１および第２の部分１９ａ、１９ｂの間に、分離壁１９ｃを含むことができる。
【００９６】
示されてはいない代替案では、巻き取りプーリ１９は、その第１および第２の部分１９ａ、１９ｂの間に、分離壁を有してはいない。
【００９７】
示されてはいない代替案では、巻き取りプーリ１９の第１および第２の部分１９ａ、１９ｂは、２つの別個の部品で形成されている。
【００９８】
示されてはいない代替案では、巻き取りプーリ１９の第１および第２の部分１９ａ、１９ｂのそれぞれは、可撓性要素９の第１および第２のストランド９ａ、９ｂを、巻き取りプーリ１９の第１および第２の部分１９ａ、１９ｂのそれぞれの周りで案内することを向上させるように、円錐形である。
【００９９】
電気機械的なアクチュエータ６の制御手段は、枠４に対する第１の可動部３ａのスライド動作を可能にし、少なくとも１つの電子制御装置１０を含んでいる。電子制御装置１０は、電気機械的なアクチュエータ６の電動モータ７を操作するように、そして、特には、電動モータ７への電気の供給を可能にするように、構成されている。
【０１００】
従って、電子制御装置１０は、特に電動モータ７に、スライドさせることによって、枠４に対して第１の可動部３ａを開放、または閉鎖するように、命令をだす。
【０１０１】
このようにして、窓２は、電子制御装置１０を含んでいる。より具体的には、電子制御装置１０は、電動化された駆動装置５に一体化されている。
【０１０２】
有利には、電動化された駆動装置５は、例えば枠４上に、搭載する前に、小組立体に予め組み立てられており、それは、少なくとも電気機械的なアクチュエータ６、巻き取りプーリ１９、可撓性要素９および電子制御装置１０を含んでいる。
【０１０３】
電動化された駆動装置５は、制御装置によって制御される。この制御装置は、例えば、局所的な制御装置１２であることができる。
【０１０４】
局所的な制御装置１２は、中央制御装置１３と、有線または無線接続で、連結されていることができる。中央制御装置１３は、局所的な制御装置１２、ならびに建築物の全体にわたって分配された他の同様の局所的な制御装置を駆動する。
【０１０５】
また、電子制御装置１０は、指示、特には、指示伝達装置、例えば局所的な制御装置１２または中央制御装置１３、によって送られる電磁波による指示、を受け取るモジュールを含み、そのような指示は、電動化された駆動装置５を制御するように意図されている。また、この指示を受け取るモジュールは、有線の手段によって送られた指示の受信も可能とする。
【０１０６】
電子制御装置１０、局所的制御装置１２および／または中央制御装置１３は、例えば、温度、湿度測定、巻き取り速度、室内もしくは室外の空気品質の測定値または存在を測定するために配置された１つまたは幾つかのセンサと連結されていることができる。
【０１０７】
また、中央制御装置１３は、通信ネットワーク、特にはサーバ１４に連結することができるインターネット網、を介して遠隔で入手可能となったデータによって、電気機械的なアクチュエータ６を制御するように、サーバ１４と連結されていることができる。
【０１０８】
電子制御装置１０は、局所制御装置１２から制御されることができる。局所制御装置１２は、制御用キーボードを与えられている。局所制御装置１２の制御用キーボードは、選択要素および、随意選択的にディスプレイ要素を含んでいる。
【０１０９】
限定するものではない例として、選択要素は、押しボタンまたは感応キーであることができ、ディスプレイ要素は、発光ダイオード、ＬＣＤ（液晶ディスプレイ）またはＴＦＴ（薄膜トランジスタ）ディスプレイであることができる。また、選択要素およびディスプレイ要素は、タッチセンシティブスクリーンを用いて製造することができる。
【０１１０】
局所的制御装置１２は、静止型または移動型の制御位置であることができる。静止型制御位置は、建築物の壁の前面に、または窓２の枠４に面上に、取り付けられることを意図された制御装置に相当する。移動型制御位置は、遠隔制御に相当する。
【０１１１】
局所的制御装置１２は、電子制御装置１０の、使用者によってなされた選択を基にした直接の制御を可能にする。
【０１１２】
局所的制御装置１２は、使用者が、電動化された駆動装置５の電気機械的なアクチュエータ６へ、電動化された駆動装置５と関係付けられた電子制御装置１０を用いて、直接に介入すること、または、電動化された駆動装置５の電気機械的なアクチュエータ６へ、中央制御装置１３を用いて直接に介入することを、可能にする。
【０１１３】
電動化された駆動装置５、特には、電子制御装置１０は、好ましくは枠４に対する第１の可動部３ａの、スライドさせることによる閉鎖の、ならびに枠４に対する第１の可動部３ａの、スライドさせることによる開放の、命令指示を実行するように構成されおり、この命令指示は、特には、局所的制御装置１２によって、または中央制御装置１３によって、与えられることができる。
【０１１４】
従って、電子制御装置１０は、電動化された駆動装置５の電気機械的なアクチュエータ６を操作するように、特には、電気機械的なアクチュエータ６への電気の供給を可能にするように、構成されている。
【０１１５】
ここで、そして図４に示されているように、電子制御装置１０は、電気機械的なアクチュエータ６の筐体１７の内側に配置されている。
【０１１６】
電気機械的なアクチュエータ６の制御手段は、ハードウェアおよび／またはソフトウェア手段を含んでいる。
【０１１７】
限定するものではない１つの例として、ハードウェア手段は、少なくとも１つのマイクロ制御装置を含むことができる。
【０１１８】
有利には、局所的制御装置１２は、建築物内の環境の少なくとも１つのパラメータを測定し、そしてその装置内に組み込まれているセンサを含んでいる。
【０１１９】
従って、局所的制御装置１２は、中央制御装置１３と通信することができ、そして中央制御装置１３は、電動化された駆動装置５と関連付けられた電子制御装置１０を、建築物の内部の環境のパラメータを測定するセンサからもたらされるデータを基に、制御することができる。
【０１２０】
更には、局所的制御装置１２は、電動化された駆動装置５と関連付けられた電子制御装置１０を、建築物の内部の環境のパラメータを測定するセンサからもたらされるデータを基に、直接に制御することができる。
【０１２１】
限定するものではない例として、局所的制御装置１２内に組み込まれたセンサによって測定された建築物内部の環境の１つのパラメータは、湿度、温度、二酸化炭素の水準、または空気中の揮発性有機化合物の水準である。
【０１２２】
好ましくは、枠４に対して第１の可動部３ａをスライドさせることにより閉鎖および開放を制御するための、使用者による局所的制御装置１２の起動は、中央制御装置１３の起動に対して優先権を有している。
【０１２３】
従って、局所的制御装置１２の起動は、電動化された駆動装置５と関連付けられた電子制御装置１０を、使用者によってなされる選択を基にして、直接に制御し、随意選択的に、中央制御装置１３によって送られる可能性がある制御指令を抑止するか、または建築物内部もしくは建築物外部の環境の少なくとも１つのパラメータを測定するセンサによって測定された値、または建築物内部の存在検知信号を無視する。
【０１２４】
ここで、電動化された駆動装置５、特には電気機械的なアクチュエータ６は、電気供給網から電気を供給される。そのような場合には、電気機械的なアクチュエータ６は、電力ケーブル（示されていない）を含み、それに、地区の電気供給網から電気を供給されることを可能にする。
【０１２５】
あるいは、電動化された駆動装置５、特には電気機械的なアクチュエータ６は、電池（示されていない）を用いて電気を供給される。そのような場合には、例えば、光起電パネルまたはいずれかの他の、特には熱形の、エネルギー回収システムによって、電池は再充電されることができる。
【０１２６】
我々は、以下に図３〜１０を参照して、電動化された駆動装置５のスライド窓２への組み込みを説明する。
【０１２７】
巻き取りプーリ１９および電気機械的なアクチュエータ６の出力軸８は、同じ回転軸Ｘを有している。言い換えれば、巻き取りプーリ１９の回転軸は、電気機械的なアクチュエータ６の出力軸８の回転軸Ｘと一体となっている。
【０１２８】
従って、巻き取りプーリ１９は、電気機械的なアクチュエータ６の出力軸８の延長に配置されており、そして電気機械的なアクチュエータ６の出力軸８と同じ回転軸Ｘの周りを回転される。
【０１２９】
電動化された駆動装置５は、巻き取りプーリ１９の第１の部分１９ａに対して可撓性要素９の第１のストランド９ａを案内するように、可撓性要素９の第１のストランド９ａと協働する第１の角度伝達機構２０、ならびに巻き取りプーリ１９の第２の部分１９ｂに対して可撓性要素９の第２のストランド９ｂを案内するように、可撓性要素９の第２のストランド９ｂと協働する第２の角度伝達機構２１を更に含んでいる。
【０１３０】
更に、可撓性要素９の第１および第２のストランド９ａ、９ｂは、巻き取りプーリ１９の第１および第２の部分１９ａ、１９ｂに対して、第１および第２の角度伝達機構２０、２１を用いてそれぞれ案内される。
【０１３１】
このようにして、電動化された駆動装置５は、コンパクトに作られ、一方で窓２の信頼できる操作を保証する。
【０１３２】
更に、可撓性要素９は、巻き取りプーリ１９の第１の部分１９ａに連結された第１のストランド９ａの末端と、巻き取りプーリ１９の第２の部分１９ｂに連結された第２のストランド９ｂの末端との間でいわゆる開放ループを形成する。
【０１３３】
このようにして、可撓性要素９の第１および第２のストランド９ａ、９ｂは、巻き取りプーリ１９に連結されており、そしてそれらの第１および第２の部分１９ａ、１９ｂで分離されている。
【０１３４】
ケーブルまたはひもの種類の可撓性要素９の、第１および第２の角度伝達機構２０、２１との使用は、電動化された駆動装置５の大きさを最小化するように、巻き取り機構１９を電気機械的なアクチュエータ６の出力軸８の延長へ配置すること、および電気機械的なアクチュエータ６を巻き取りプーリ１９と、枠４の上部横材４ａの長さＬに沿って並べることを可能にさせる。
【０１３５】
有利には、第１の角度伝達機構２０は、巻き取りプーリ１９の第１の部分１９ａの反対側に配置される。更に、第２の角度伝達機構２１は、巻き取りプーリ１９の第２の部分１９ｂの反対側に配置される。
【０１３６】
従って、可撓性要素９の第１および第２のストランド９ａ、９ｂの移動および案内は、簡素化される。
【０１３７】
ここで、そして図８に示されているように、第１および第２の角度伝達機構２０、２１は、回転軸Ｘの同じ側に、上部横材４ａの厚さＥに沿って、配置される。
【０１３８】
好ましくは、第１および第２の角度伝達機構２０、２１のそれぞれは、可撓性要素９の第１および第２のストランド９ａ、９ｂの１つの角度伝達プーリ２２を含んでいる。
【０１３９】
有利には、第１および第２の角度伝達機構２０、２１のそれぞれはまた、可撓性要素９の第１および第２のストランド９ａ、９ｂの１つの案内要素２３を含んでいる。更に、第１および第２の角度伝達機構２０、２１のそれぞれの案内要素２３および角度伝達プーリ２２は、可撓性要素９の第１および第２のストランド９ａ、９ｂの１つを案内するように、互いに協働するように構成されている。
【０１４０】
図３〜５に示されている例示の態様では、可撓性要素９の第１および第２のストランド９ａ、９ｂは、第１および第２の角度伝達機構２０、２１から、そしてより具体的には、第１および第２の角度伝達機構２０、２１のそれぞれの角度伝達プーリ２２から、反対の方向に延在している。
【０１４１】
ここで、そして図５に示されているように、第１および第２の角度伝達機構２０、２１のそれぞれの案内要素２３は、案内リングである。
【０１４２】
第１および第２の角度伝達機構２０、２１のそれぞれについては、案内リング２３は、可撓性要素９の通過開口部２４を含んでいる。案内リング２３の通過開口部２４は、可撓性要素９を案内するように、角度伝達機構２０、２１の角度伝達プーリ２２の溝２５の反対側に配置されている。
【０１４３】
ここで、そして図５および６に示されているように、角度伝達プーリ２２ならびに第１の角度伝達機構２０の案内要素２３は、巻き取りプーリ１９の第１の部分１９ａの下部巻き取り区画の反対側に配置されている。更に、角度伝達プーリ２２ならびに第２の角度伝達機構２１の案内要素２３は、巻き取りプーリ１９の第２の部分１９ｂの上部巻き取り区画の反対側に配置されている。
【０１４４】
更には、第１および第２の角度伝達機構２０、２１のそれぞれについて、角度伝達プーリ２２の回転軸Ｙは、同じ角度伝達機構２０、２１の案内要素２３の通過開口部２４の軸Ｚに垂直である。
【０１４５】
実際に、第１および第２の角度伝達機構２０、２１のそれぞれはまた、支持体２６を含んでいる。
【０１４６】
有利には、第１および第２の角度伝達機構２０、２１のそれぞれの支持体２６は、枠４の上部横材４ａ上に、ネジ留めすることによって固定されている。
【０１４７】
実際に、それぞれの支持体２６は、ネジを固定するために、少なくとも１つの通過孔２７を含んでいる。例示の態様では、そして図８に示されているように、それぞれの支持体２６は、ネジを固定するための２つの通過孔２７を含んでいる。
【０１４８】
更に、通過孔２７を通過する固定用のネジは、枠４の上部横材４ａに、特には枠４の上部横材４ａ中に配置されたネジ用の開口中に、ネジ込まれている。実際に、この固定用ネジは、セルフタッピング型である。
【０１４９】
有利には、それぞれの支持体２６は、図８に示されているように、第１の角度伝達機構２０のための、枠４の上部横材４ａ中に配置されたスロット４３と協働するピン４２を含んでいる。
【０１５０】
従って、それぞれの支持体２６は、枠４の上部横材４ａに対して向けられ、そして配置されている。
【０１５１】
第１および第２の角度伝達機構２０、２１のそれぞれの角度伝達プーリ２２は、例えば空回りプーリによって作られることができ、言い換えれば、その回転軸Ｙの周りに自由に回転するように、特には角度伝達機構２０、２１の支持体２６上に、据え付けられており、あるいは固定プーリによって作られることができ、言い換えれば、その軸上に固定されており、特には角度伝達機構２０、２１の支持体２６上に固定されている。
【０１５２】
実際に、それぞれの支持体２６は、角度伝達プーリ２２を維持するための要素を、図５および８に示されているように、特には筐体４５および回転軸４６を含んでいる。回転軸４６は、角度伝達プーリ２２を通して、特にはその中心部分に、延在している。更に、それぞれの支持体２６は、案内要素２３を維持すための要素、特には筐体４７、を含んでいる。筐体４７は、図５に示されているように、案内要素２３を筐体４７中の適正な位置に保持するように、案内要素２３の外側輪郭上に配置された溝４９と協働する縁４８を含んでいる。
【０１５３】
好ましくは、電気機械的なアクチュエータ６は、枠４の上部横材４ａ上に、留め具２８を用いて、取付けられる。
【０１５４】
従って、電動化された駆動装置５は、下部横材および標準の側面の直立材４ｃを与えられた枠４を含むスライド窓２上に与えられるように構成されている。
【０１５５】
更に、巻き取りプーリ１９は、同じ留め具２８によって保持される。
【０１５６】
有利には、電気機械的なアクチュエータ６は、枠４の上部横材４ａの１つの末端の近傍に配置される。
【０１５７】
従って、電気機械的なアクチュエータ６の枠４の上部横材４ａの１つの末端の近傍への配置は、特には、上部横材４ａ上への電気機械的なアクチュエータ６の、その長さＬに沿った、中央への配置に対して、電気機械的なアクチュエータ６の質量による上部横材の４ａの落ち込みを制限することを可能にさせる。
【０１５８】
実際には、枠４の上部横材４ａ上への電気機械的なアクチュエータ５の留め具２８は、支持体、特には固定用ブラケットを含んでいる。
【０１５９】
有利には、それらの支持体２８は、枠４の上部横材４ａ上に、ネジ留めすることによって固定される。
【０１６０】
実際には、それぞれの支持体２８は、固定用ネジのために少なくとも１つの通過孔２９を含んでいる。図８および９に示された例示の態様では、それぞれの支持体２８は、
固定用ネジのための２つの通過孔２９を含んでいる。
【０１６１】
更に、通過孔２９を通過する固定用ネジは、枠４の上部横材４ａに、特に、枠４の上部横材４ａ中に配置されたネジ用開口部に、ネジ留めされる。実際に、この固定用ネジは、セルフタッピング型のものである。
【０１６２】
ここで、枠４の上部横材４ａへの電気機械的なアクチュエータ６の留め具２８は、２つの支持体を含む。第１の支持体２８は、電気機械的なアクチュエータ６の第１の末端６ａに組立てられる。第２の支持体２８は、電気機械的なアクチュエータ６の第２の末端６ｂに組立てられる。電気機械的なアクチュエータ６の第１の末端６ａは、電気機械的なアクチュエータ６の第２の末端６ｂの反対側にある。
【０１６３】
有利には、それぞれの支持体２８は、枠４の上部横材４ａ中に配置されたスロット４３と協働する少なくとも１つのピン４４を含んでいる。図８および９に示された例示の態様では、それぞれの支持体２８は、２つのピン４４を含んでいる。
【０１６４】
従って、それぞれの支持体２８は、枠４の上部横材４ａに対して向けられ、そして配置される。
【０１６５】
有利には、それぞれの支持体２８は、枠４の上部横材４ａおよび電気機械的なアクチュエータ６の間に配置された、枠４の上部横材４ａ上の支持体２８の固定の間の、振動制御要素（示されていない）、特には弾性要素、を含むことができる。
【０１６６】
有利には、電気機械的なアクチュエータ６ならびに巻き取りプール１９の支持体２８上への固定は、図３、６および７に示されているように、留め具４１によって、特にはネジで取付けることによって行われる。
【０１６７】
あるいは、電気機械的なアクチュエータ６ならびに巻き取りプール１９の支持体２８への留め具は、弾性スナッピング要素である。
【０１６８】
ここで、そして図３、４および１０に示されているように、電動化された駆動装置５の可撓性要素９は、枠４の上部横材４ａに沿って、巻き取りプーリ１９の第１の部分１９ａから巻き取りプーリ１９の第２の部分１９ｂへ延在している。
【０１６９】
従って、可撓性要素９のそのような配置は、第１の可動部３ａの枠４に対するスライドによる動きならびに窓２の審美的な外観を保証することを可能にする。
【０１７０】
ここで、そして図３および４に示されているように、可撓性要素９は、一方は、上部横材４ａの上面の側から、そして他方は、上部横材４ａの下面の側から、枠４の上部横材４ａの長さＬの少なくとも一部に沿って、延在している。
【０１７１】
実際には、電動化された駆動装置５は、上部横材４ａの長さＬに沿って、所定の距離Ｓによって分離された少なくとも２つの角度伝達プーリ３５を含んでいる。
【０１７２】
少なくとも第１の角度伝達プーリ３５は、電気機械的なアクチュエータ６の第１の面、すなわち、電気機械的なアクチュエータ６の第１の末端６ａ、に配置されている。少なくとも第２の角度伝達プーリ３５は、電気機械的なアクチュエータ６の第２の面、すなわち、電気機械的なアクチュエータ６の第２の末端６ｂ、に配置されている。
【０１７３】
ここで、電動化された駆動装置５は、所定の距離Ｓによって分離された２対の角度伝達プーリ３５を含んでいる。
【０１７４】
角度伝達プーリの数は、限定されておらず、そして異なっていることができる。
【０１７５】
有利には、角度伝達プーリ３５の間の所定の距離Ｓは、第１の可動部３ａのスライド式の動きの移動とは異なっている。
【０１７６】
好ましくは、電動化された駆動装置５が、単一の可動部３ａを、可撓性要素９を用いてスライドさせることによって動かすように構成されている場合においては、角度伝達プーリ３５の間の所定の間隔は、上部横材４ａの長さＬの半分以上である。
【０１７７】
それぞれの角度伝達プーリ３５は、例えば、空回りプーリによって作られること、言い換えれば、自由に回転するように、特には枠４の上部横材４ａ上に、据え付けられていること、ができ、あるいは、固定プーリによって作られることができ、言い換えれば、その軸に固定されており、特には枠４の上部横材４ａ上に固定されている。
【０１７８】
有利には、枠４の上部横材４ａは、上部横材４ａの長さＬに沿って延在する可撓性要素９の少なくとも１つの案内要素３６を含んでいる。
【０１７９】
実際には、図３，４および１０に示されているように、可撓性要素９の第１の案内要素３６は、上部横材４ａの下面の側から延在しており、そして第２の案内要素３６は、上部横材４ａの上面の側から延在している。
【０１８０】
好ましくは、第１および第２の案内要素３６は、上部横材４ａ内部に配置された空洞によって形成されている。
【０１８１】
従って、可撓性要素９は、空洞によって形成された第１および第２の案内要素３６内部に隠された位置を占めている。
【０１８２】
このようにして、可撓性要素９は、摩耗、枠４に対する第１の可動部３ａのスライド要素のそれによる妨害の危険性、ならびに不法侵入の試み、から保護されている。
【０１８３】
示されている例では、上部横材４ａ内部に配置されたそれぞれの空洞は、２つの長手方向の末端のみに現れる。あるいは、それらの空洞の少なくとも１つが、上部横材４ａの横方向の開口部に現れる。
【０１８４】
更に、上部横材４ａ内部に配置された空洞の組み込みは、従って、可撓性要素９、特には、巻き取りプーリ１９の回転駆動方向に応じて緩められる、可撓性要素９の第１のストランド９ａまたは第２のストランド９ｂ、を案内し、そして維持することを可能にする。
【０１８５】
ここで、そして図３に示されているように、第１の案内要素３６は、上部横材４ａの第１のスライド用レール１１ａ内部に配置されたシュート３７を含んでいる。
【０１８６】
示されてはいない代替案では、案内要素３６は、上部横材４ａの第１のスライド用レール１１ａの外側に配置されたシュートを含んでいる。
【０１８７】
有利には、第２の案内要素３６は、電気機械的なアクチュエータ６および巻き取りプーリ１９を収容する枠４の上部横材４ａの凹部３８によって形成される。凹部３８は、上部横材４ａの長さＬに沿って延在している。
【０１８８】
従って、可撓性要素９は、凹部３８によって形成された第２の案内要素３６内部に隠された位置を占めている。
【０１８９】
図１および２に示されているように、電気機械的なアクチュエータ６および巻き取りプーリ１９は、窓２の上に配置された、特には枠４の上部横材４ａの上部に延在している、箱３０中に配置されている。
【０１９０】
従って、電気機械的なアクチュエータ６および巻き取りプーリ１９は、スライド窓２の審美的に好ましい外観を保証するように、箱３０中に隠されている。
【０１９１】
有利には、窓２は、電動化された駆動装置５への、そしてより具体的には、電気機械的なアクチュエータ６および巻き取りプーリ１９への、アクセス用蓋３１を含んでいる。
【０１９２】
従って、アクセス用蓋３１は、電動化された駆動装置５のメンテナンス操作および／またはその修繕操作を行うことを可能にさせる。
【０１９３】
ここで、そして図１および２に示されているように、アクセス用蓋３１は、枠４の上部横材４ａの全体の長さＬに亘って延在している。
【０１９４】
あるいは、アクセス用蓋３１は、枠４の上部横材４ａの長さＬの一部に亘って延在している。
【０１９５】
ここで、そして図１および２に示されているように、アクセス用蓋３１は、箱３０中に配置されている。
【０１９６】
あるいは、アクセス用蓋３１は、枠４の上部横材４ａ中に、特には、上部横材４ａの第１のスライド用レール１１ａを通して、または上部横材４ａの第１および第２のスライド用レール１１ａ、１１ｂの間に配置される。
【０１９７】
有利には、電気機械的なアクチュエータ６および巻き取りプーリ１９は、枠４上に、特には上部横材４ａ上に、第１の支持体２８および第２の支持体２８を用いて、組立てられている。更には、回転軸Ｘに沿って摺動連結を形成する機構３２は、一方では第１および第２の支持体２８の１つ、そして他方は、巻き取りプーリ１９もしくは電気機械的なアクチュエータ６の１つの末端６ａ、６ｂの間に配置されている。
【０１９８】
従って、巻き取りプーリ１９または電気機械的なアクチュエータ６、またはその両方は一緒に、回転軸Ｘに沿って、機構３２を用いて第１および第２の支持体２８の間で動かすことが出来る。
【０１９９】
このようにして、可撓性要素９の第１および第２のストランド９ａ、９ｂの、巻き取りプーリ１９の第１および第２の部分１９ａ、１９ｂの周りの回転は、均一に分配され、そして一方で互いに重なり合うことは回避される。
【０２００】
ここで、そして図５および６に示されているように、機構３２は、巻き取りプーリ１９によって、そして支持体２８の１つおよび電気機械的なアクチュエータ６の末端６ａの間で作られる。
【０２０１】
図５および６に示された例示的な形態では、巻き取りプーリ１９は、電気機械的なアクチュエータ６の出力軸８に、機構３２を介して固定されている。
【０２０２】
有利には、電気機械的なアクチュエータ６の出力軸８は、電気機械的なアクチュエータ６の出力軸８の回転駆動の間に、ネジナット型の機構３２を用いて、巻き取りプーリ１９を回転させ並進させるように、巻き取りプーリ１９に連結されている。
【０２０３】
従って、巻き取りプーリ１９は、電気機械的なアクチュエータ６の起動の間は、電気機械的なアクチュエータ６の出力軸８によって回転され、そしてネジナット機構３２によって並進される。
【０２０４】
このようにして、可撓性要素９の第１および第２のストランド９ａ、９ｂの、巻き取りプーリ１９の第１および第２の部分１９ａ、１９ｂの周りの回転は、均一に分配され、そして一方で互いに重なり合うことは回避される。
【０２０５】
ここで、そして図５および６に示されているように、ネジナット機構３２は、一方では、電気機械的なアクチュエータ６の出力軸８に、そして他方では、電気機械的なアクチュエータ６の支持体２８の１つに、固定されている。
【０２０６】
更には、電気機械的なアクチュエータ６の出力軸８は、巻き取りプーリ１９の内部に配置された雌ねじを切られた孔３４と協働するネジ切りされたネジ３３に連結される。
【０２０７】
示されていない代替案では、巻き取りプーリ１９は、電気機械的なアクチュエータ６の出力軸８に直接に固定されている。
【０２０８】
有利には、電動化された駆動装置５によってスライドされることができる、第１および第２の可動部３ａ、３ｂの間で、可動部３ａだけが、窓２の内部の可動部である。この内部の可動部３ａは、建築物内の窓２の組立てられた構成の中で、建築物に対して内部の側に配置される。
【０２０９】
従って、第１の可動部３ａの枠４に対するスライドによる駆動を可能にする可撓性要素９は、第１の可動部３ａが、閉鎖されているか、または枠４に対して通気の位置に固定されている場合には、建築物の、そしてより具体的には、窓２の、外側からアクセスできないように維持される。
【０２１０】
固定された通気の位置は、第１の可動部３ａが枠４に対して半開きであり、そして施錠機構（示されていない）によって施錠されている位置である。
【０２１１】
更に、第２の可動部３ｂが手動で動かせる場合には、特には、電動化された駆動装置５の電力供給がない場合、または電動化された駆動装置５の故障があった場合には、後者は、使用者によって第１の可動部３ａとは独立に動かすことができる。
【０２１２】
電動化された駆動装置５は、可撓性要素９の第１のストランド９ａを巻き取りプーリ１９の第１の部分１９ａの周りにそれぞれ巻き取ること、巻き戻すことによって、そして可撓性要素９の第２のストランド９ｂを巻き取りプーリ１９の第２の部分１９ｂの周りに、それぞれ巻き戻すこと、巻き取ることによって、第１の可動部３ａを枠４に対して自動的に、スライド方向Ｄに沿ってスライドさせることを可能にする。
【０２１３】
電動化された駆動装置５は、スライド方向Ｄに沿ってスライドさせることによって、枠４に対して電動化された方法で第１の可動部３ａを閉鎖し、そして開放することを可能にさせる。
【０２１４】
有利には、電動化された駆動装置５の故障の場合には、第１の可動部３ａに対する可撓性要素９の分離に続いて、特には使用者による、枠４に対する第１の可動部３ａのスライド方向Ｄに沿った手動でのスライドを行うことができる。
【０２１５】
更には、枠４に対して第１の可動部３ａを動かすための可撓性要素９の使用は、特にはベルトに比較して、電動化された駆動装置５を得るための費用を最小化し、そして電動化された駆動装置５の大きさを最小化することを可能にする。
【０２１６】
ここで、第１および第２のストランド９ａ、９ｂで作られる可撓性要素９は、単一の部品で作られる。そのような場合には、可撓性要素９は、巻き取りプーリ１９の第１の部分１９ａから巻き取りプーリ１９の第２の部分１９ｂに延在している。
【０２１７】
示されていはいない代替案では、可撓性要素９の第１のストランド９ａは、枠４に対する第１の可動部３ａの施錠および開錠機構に連結された他の末端を含んでいる。更に、可撓性要素９の第２のストランド９ｂは、施錠および開錠機構に連結された他の末端を含んでいる。
【０２１８】
可撓性要素９の第１のストランド９ａの他の末端は、巻き取りプーリ１９の第１の部分１９ａに連結された可撓性要素９の第１のストランド９ａの反対の末端である。更に、可撓性要素９の第２のストランド９ｂの他の末端は、巻き取りプーリ１９の第２の部分１９ｂに連結された可撓性要素９の第２のストランド９ｂの反対の末端である。
【０２１９】
従って、可撓性要素９は２つの部分で作られている。可撓性要素９の第１の部分は、巻き取りプーリ１９の第１の部分１９ａと、施錠および開錠機構との間に延在する第１のストランド９ａによって形成されている。更に、可撓性要素９の第２の部分は、巻き取りプーリ１９の第２の部分１９ｂと、施錠および開錠機構との間に延在する第２のストランド９ｂによって形成されている。
【０２２０】
電動化された駆動装置５は、例えば、局所的制御装置１２、例えば遠隔制御装置または定常制御点、の選択要素を押すことに対応する命令指令を受け取ることによって、使用者によって制御されることができる。
【０２２１】
また、電動化された駆動装置５は、例えば、少なくとも１つのセンサからもたらされる少なくとも１つの信号および／または時計からもたらされる信号を受け取ることによって、自動的に制御されることができる。このセンサおよび／または時計は、局所的制御装置１２または中央制御装置１３中に組み込まれていることができる。
【０２２２】
有利には、電動化された駆動装置５は、第１の可動部３ａを枠４に対してスライドさせることによって、閉鎖位置と最大の位置の間で、所定の位置まで自動的に動かすことを可能にする。枠４に対する第１の可動部３ａの所定の位置、特には部分的な開放または閉鎖、への動きは、局所的制御装置１２、中央制御装置１３またはセンサによって発生される命令指令を受けた後に実施される。
【０２２３】
ここで、スライド方向Ｄにおける枠４に対する第１の可動部３ａをスライドさせることによる動きは、電気機械的なアクチュエータ６に電気を供給することによって、可撓性要素９の第１および第２のストランド９ａ、９ｂを巻き取りプーリ１９の第１および第２の部分１９ａ、１９ｂの周りに巻き戻す、または巻き取るように、行われる。
【０２２４】
従って、可撓性要素９の第１および第２のストランド９ａ、９ｂの巻き取りプーリ１９の第１および第２の部品１９ａ、１９ｂの周りの巻き戻しまたは巻き取りは、電気機械的なアクチュエータ６に電気を供給することによって制御される。
【０２２５】
実際には、電気機械的なアクチュエータ６の電気の供給は、局所的制御装置１２、中央制御装置１３またはセンサからもたらされ、電子制御装置１０によって受けとられる命令指令によって制御される。
【０２２６】
図１１〜１３に示された第２の態様では、前記の第１の態様の要素と同様の要素は、上記で説明されたように、同じ参照番号を有し、そして作動する。これ以降、我々は、この態様を、前記の態様と区別するものだけを主に記載する。これ以降、参照番号が、図１１〜１３の１つで再現されることなく用いられた場合には、それは、図１〜１０の１つの中の同じ参照事項を有する物に対応している。
【０２２７】
我々は、以下に、図１１〜１３を参照して、第２の態様による、スライド窓２における電動化された駆動装置５の組み込みを説明する。
【０２２８】
ここで、そして第１の態様と同様に、第１および第２の角度伝達機構２０、２１のそれぞれは、可撓性要素９の第１および第２のストランド９ａ、９ｂの１つの角度伝達プーリ２２を含んでいる。
【０２２９】
更に、第１および第２の角度伝達機構２０、２１のそれぞれはまた、可撓性要素９の第１および第２のストランド９ａ、９ｂの１つの案内要素２３を含んでいる。
【０２３０】
ここで、可撓性要素９の第１および第２のストランド９ａ、９ｂは、第１および第２の角度伝達機構２０、２１から、そしてより具体的には、第１および第２の角度伝達機構２０、２１のそれぞれの角度伝達機構プーリ２２から、同じ方向に延在している。
【０２３１】
有利には、可動台部１８は、第１の可動部３ａの枠１５上に、より具体的には枠４の側面の直立材４ｃと協働するように構成された枠１５の側面の直立材上に、枠４に対して第１の可動部３ａの最も近接した位置に、固定されている。
【０２３２】
更に、可動台部１８は、建築物に関して窓２の組み立てられた構成の中で、第１の可動部３ａの枠１５の上部に固定されている。
【０２３３】
可動台部１８の第１の可動部３ａの枠１５上への固定は、固定要素によってネジ止めすることによって行うことができる。
【０２３４】
ここで、そして図１１に示されているように、第１の可動部３ａが、枠４に対して最も近接した位置にある場合には、電気機械的なアクチュエータ６は、枠４の上部横材４ａ上に、第１の可動部３ａの反対の側に組み立てられる。
【０２３５】
従って、第１の可動部３ａ、そしてより具体的には可動台部１８は、電気機械的なアクチュエータ６および巻き取りプーリ１９の反対方向に動かないように配置することができる。この目的で、第１の可動部３ａの動く方向に平行に測定された、電気機械的なアクチュエータ６と巻き取りプーリ１９とによって形成され、摺動連結を形成するネジナット機構３２を、それが存在する場合には、含む、組立体の長さＶは、同じ方向に平行に測定された第１の可動部３ａの幅Ｗよりも小さくなければならない。
【０２３６】
このようにして、電動化された駆動装置５の大きさは、そして特には前記の態様に対して更により有意に、最小化される。
【０２３７】
ここで、可撓性要素９の第１のストランド９ａと協働する第１の角度伝達機構２０および可撓性要素９の第２のストランド９ｂと協働する第２の角度伝達機構２１は、同じ支持体２６によって作られている。
【０２３８】
この例示の態様では、第１および第２の角度伝達機構２０、２１のそれぞれの角度伝達プーリ２２は、例えば、空回りプーリによって作られる、言い換えれば、特には角度伝達機構２０、２１の支持体２６上に、その回転軸Ｙの周りを自由に回転するように取り付けられる、ことができ、あるいは、固定プーリによって作られることができ、言い換えれば、その軸上に固定されており、特には角度伝達機構２０、２１の支持体２６上に固定されている。
【０２３９】
ここで、そして図１１および１２に示されているように、第１および第２の角度伝達機構２０、２１のそれぞれの案内要素２３は、支持体２６中に配置された通過孔である。
【０２４０】
案内要素２３を形成するこの通過孔は、可撓性要素９を案内するように、角度伝達機構２０、２１の角度伝達プーリ２２の溝２５の反対側に配置されている。
【０２４１】
更には、第１および第２の角度伝達機構２０、２１のそれぞれについては、角度伝達プーリ２２の回転軸Ｙは、同じ角度伝達機構２０、２１の案内要素２３を形成する通過孔の軸Ｚ’に垂直である。
【０２４２】
有利には、第１および第２の角度伝達機構２０、２１の支持体２６は、枠４の上部横材４ａ上に、特にはネジ留めすることによって、固定される。
【０２４３】
ここで、電動化された駆動装置５は、電気機械的なアクチュエータ６の第１の側面、すなわち、電気機械的なアクチュエータ６の第１の末端６ａ、に配置された、ただ２つの角度伝達プーリ３５を含んでいる。それらのプーリ３５の唯一を、図１１および１３で観ることができる。
【０２４４】
従って、この態様では、電動化された駆動装置５は、電気機械的なアクチュエータ６の第２の側面上、すなわち、電気機械的なアクチュエータ６の第２の末端６ｂ、に配置された角度伝達プーリ３５を排除することによって作られる。
【０２４５】
このようにして、角度伝達プーリ３５の数は、この態様においては、前記の態様に対して、より少ない。
【０２４６】
角度伝達プーリの数は、限定されず、そして異なっていることができる。特には、電動化された駆動装置は、電気機械的なアクチュエータの第１の側面、すなわち、電気機械的なアクチュエータの第１の末端、上に配置された単一の角度伝達プーリを含むことができる。
【０２４７】
ここで、そして図１１および１３に示されているように、角度伝達プーリ３５は、支持体５２上に組み立てられる。支持体５２は、枠４の上部横材４ａ上に、特にはネジ留めすることによって、固定される。
【０２４８】
それぞれの角度伝達プーリ３４は、例えば空回りプーリによって作られている、言い換えれば、特には支持体５２上に、自由に回転するように取り付けられる、ことができ、あるいは固定プーリによって作られており、言い換えれば、その軸に固定されて、特には支持体５２上に固定されている、ことができる。
【０２４９】
この例示的な態様では、電気機械的なアクチュエータ６および可撓性要素９は、箱３０（図１１〜１３には示されていない）内に配置されており、窓２の上に、特には枠４の上部横材４ａの上部に延在して、配置されている。
【０２５０】
従って、電気機械的なアクチュエータ６および可撓性要素９は、スライド窓２の審美的に好ましい外観を保証するように、箱３０内に隠されている。
【０２５１】
同様に、巻き取りプーリ１９は、窓２の上部に配置された箱３０の中に配置されている。
【０２５２】
ここで、そして上記の態様と同様に、図６〜８を参照して、可撓性要素９の第１のストランド９ａの１つの末端は、巻き取りプーリ１９の第１の部分１９ａに連結されている。可撓性要素９の第２のストランド９ｂの１つの末端は、巻き取りプーリ１９の第２の部分１９ｂに連結されている。
【０２５３】
更に、この第２の態様では、可撓性要素９の第１のストランド９ａは、枠４に対して第１の可動部３ａの施錠および開錠機構５１に連結された他の末端を含んでいる。更に、可撓性要素９の第２のストランド９ｂは、施錠および開錠機構５１に連結された他の末端を含んでいる。
【０２５４】
可撓性要素９の第１のストランド９ａの他の末端は、巻き取りプーリ１９の第１の部分１９ａに連結された可撓性要素９のこの第１のストランド９ａの末端の反対側である。更に、可撓性要素９の第２のストランド９ｂの他の末端は、巻き取りプーリ１９の第２の部分１９ｂに連結された可撓性要素９のこの第２のストランド９ｂの末端の反対側である。
【０２５５】
従って、可撓性要素９は、２つの部分でできている。可撓性要素９の第１の部分は、巻き取りプーリ１９の第１の部分１９ａと、施錠および開錠機構５１との間に延在する第１のストランド９ａによって形成される。更に、可撓性要素９の第２の部分は、巻き取りプーリ１９の第２の部分１９ｂと、施錠および開錠機構５１との間に延在する第２のストランド９ｂによって形成される。
【０２５６】
更には、施錠および開錠機構５１は、錠（示されていない）を作動させるように構成されている。更に、この錠は、ブラケットシステムの窓締り金物と協働するように構成されている。
【０２５７】
本発明によって、巻き取りプーリは、電気機械的なアクチュエータの出力軸の延長に配置されており、そして電気機械的なアクチュエータの出力軸と同じ回転軸の周りで回転される。
【０２５８】
更に、可撓性要素の第１および第２のストランドは、第１および第２の角度伝達機構を用いて、巻き取りプーリの第１および第２の部分に対してそれぞれ案内される。
【０２５９】
このようにして、電動化された駆動装置は、コンパクトに作られ、一方で窓の信頼性のある操作を保証する。
【０２６０】
前記の例示の態様に対して、特許請求の範囲によって規定される本発明の範囲を超えることなしに、多くの変更をなすことができる。
【０２６１】
特には、電動化された駆動装置５は、幾つかの可動部３ａ、３ｂを、可撓性要素９を用いてスライドさせることによって、同じ動きの方向に、または反対の動きの方向に、動かすように構成されていることができる。
【０２６２】
更に、電気機械的なアクチュエータ６の第１の側面および／または第２の側面に配置された角度伝達プーリ３５は、１つもしくは幾つかの案内要素によって置き換えられることができる。それぞれの案内要素は、図３および８に示された第１の態様に記載されたもののように、例えば、可撓性要素９の通過開口部を含む案内リングによって作られることができる。それぞれの案内要素は、例えば、支持体５２中に配置された通過孔を用いて、または可撓性要素９を動かすことができる中空の、そして曲がって管を用いて、作られる。
【０２６３】
通常は、電動化された駆動装置５は、電気機械的なアクチュエータ６の第１の側面および／または第２の側面に配置され、そして、可撓性要素９を、所定の角度、好ましくは約１８０°、に沿って、単独で、または組み合わせで、案内するように構成された、１つのもしくは幾つかの角度伝達要素３５を含んでいる。
【０２６４】
更には、第１の態様の場合には、第２の態様を参照して前述したように、可撓性要素９の第１および第２のストランド９ａ、９ｂはまた、枠４に対して、第１の可動部３ａの施錠および開錠機構５１に連結されていることができる。
【０２６５】
更に、考慮された態様および代替案は、特許請求の範囲によって規定された本発明の範囲を超えることなしに、本発明の新たな態様を産み出すように組み合わせることができる。
【図１】
2019526728.tif 000003
【図２】
2019526728.tif 000004
【図３】
2019526728.tif 000005
【図４】
2019526728.tif 000006
【図５】
2019526728.tif 000007
【図６】
2019526728.tif 000008
【図７】
2019526728.tif 000009
【図８】
2019526728.tif 000010
【図９】
2019526728.tif 000011
【図１０】
2019526728.tif 000012
【図１１】
2019526728.tif 000013
【図１２】
2019526728.tif 000014
【図１３】
2019526728.tif 000015
【国際調査報告】
2019526728.tif 000016
2019526728.tif 000017
2019526728.tif 000018
2019526728.tif 000019